(57)【要約】【課題】  カウンタウェイトのドレン構造及びカウンタウェイトのドレン施工方法に関し、簡素な構成で、カウンタウェイト内におけるコンクリートからの吸湿・蒸発作用を阻害することなく、カウンタウェイト内部から水を排出する。【解決手段】  カウンタウェイト１０の外装板１の内部におもりとして充填された充填材からなる充填層２と、外装板１の内部において充填層２の上部に隙間として形成された中空層３と、カウンタウェイト１０の下部において外装板１に穿孔されたドレン穴４と、充填層２を貫通して中空層３とドレン穴４とを連通する連通路５とを備える。【選択図】        図１
2006193940.tif 000002
【特許請求の範囲】
【請求項１】
カウンタウェイトの外装板の内部におもりとして充填された充填材からなる充填層と、
該外装板の内部において該充填層の上部に隙間として形成された中空層と、
該カウンタウェイトの下部において該外装板に穿孔されたドレン穴と、
該充填層を貫通して該中空層と該ドレン穴とを連通する連通路と
を備えたことを特徴とする、カウンタウェイトのドレン構造。
【請求項２】
該充填層は、充填材としてのセメント系材料を含む
ことを特徴とする、請求項１記載のカウンタウェイトのドレン構造。
【請求項３】
該連通路は、一端が該ドレン穴に接続され他端面が該充填層の上面で開口する円筒状の中空管によって形成される
ことを特徴とする、請求項１又は２記載のカウンタウェイトのドレン構造。
【請求項４】
外装板の内部におもりとしての充填材を充填されたカウンタウェイトのドレン施工方法であって、
該カウンタウェイトの下部において該外装板にドレン穴を穿孔し、
円筒状の中空管を該外装板の内部に配置し、
該中空管の一端を該ドレン穴に接続するとともに他端側を該外装板の内部に充填される充填材の上端よりも上方へ延設し、
該カウンタウェイトの内部において該中空管の他端面の高さよりも低い位置まで該充填材を充填して充填層を形成するとともに、該充填層の上部に隙間としての中空層を形成する
ことを特徴とする、カウンタウェイトのドレン施工方法。
【請求項５】
少なくとも該充填層の上面から該中空層側へ突出した部分の該中空管を切断する
ことを特徴とする、請求項４記載のカウンタウェイトのドレン施工方法。
【請求項６】
該充填層の形成前に、該充填層の形成時において該中空管の内部へ該充填材が進入しないように該他端面を閉鎖する養生材を該中空管の他端に取り付けることによって、該他端面の高さを該充填材の上端よりも高くしておき、
該充填層の形成後に、該養生材を取り除く
ことを特徴とする、請求項４又は５記載のカウンタウェイトのドレン施工方法。
【発明の詳細な説明】
【技術分野】
【０００１】
本発明は、作業機械のカウンタウェイト内で発生しうるガスを外部へ排出するのに用いて好適なドレン構造及びそのドレン施工方法に関する。
【背景技術】
【０００２】
従来より、油圧ショベルやクローラクレーン等の作業機械には、ショベル装置や懸垂装置といった作業装置が搭載されている。このような作業機械では、作業機械全体の重量バランスをとるために、搭載された作業装置の能力（例えばショベル容量や最大揚重重量等）や車体重量に応じたおもりとしてのカウンタウェイトが車体後方に備えられている。
作業機械に備えられるカウンタウェイトは、コンパクトなサイズで必要な重量が得られるように、比較的比重の大きい材料が用いられて製造されており、溶融した金属を鋳型に流し込んで形成された鋳物タイプのものや、コンクリート（モルタル）の外周を板金で覆って形成されたもの、容器状のカウンタウェイト内に生コンクリート（生モルタル）等を充填して形成されたもの等が開発されている。おもりとしてのコンクリートを備えたコンクリートタイプのカウンタウェイトは、同じ重量の鋳物タイプのカウンタウェイトと比較すると若干サイズが大きくなるものの、製造にかかるコストがより安価であるという利点を持っている。
【０００３】
コンクリートタイプのカウンタウェイトには、例えば、特許文献１に記載されたものがある。この特許文献１には、鉄製の中空状の外殻体の内部に、砂鉄，セメント，水，速乾剤等を配合して作られるコンクリート充填材を充填して形成されたカウンタウェイトが記載されている。
ところでコンクリート等のセメント系材料は、硬化した後であっても、温度，湿度環境に応じて周囲の空気中の水分を吸湿したり、或いは、コンクリート中の水分を水蒸気ガスとして蒸発させたりすることが知られている。また、コンクリート周囲の温度，湿度環境にかかわらず、コンクリート内部では時間の経過とともに、化学反応によって水蒸気ガスが生じることも知られており、例えば、コンクリート中に含まれるケイ酸カルシウム水和物に代表されるようなセメント水和物は、大気中の二酸化炭素と反応して炭酸カルシウムやシリカ，水等を生成し、また、コンクリート中に含まれる水酸化カルシウムは、大気中の二酸化炭素と反応して炭酸カルシウムや水を生成する。
【０００４】
そのため、一般にコンクリートタイプのカウンタウェイトにおいては、上述のようなコンクリートからの水蒸気ガスの吸湿・蒸発作用を妨げないように、コンクリート内部で発生したガスをカウンタウェイト外部へ排出するための通気口が設けられている。例えば、特許文献２には、中空の箱体の内部にコンクリート等の重量調整材を備えたカウンタウェイトであって、箱体を構成する前面板と上面板との接合部位に通気口としての隙間を設けた構成が記載されている。つまり、コンクリートを内包する容器を完全な密閉構造とせずに、カウンタウェイト内部と外部との間で空気が流通しうるようになっている。
【特許文献１】特開平９−１９５３１８号公報
【特許文献２】特開平１０−２３７９０３号公報
【発明の開示】
【発明が解決しようとする課題】
【０００５】
しかし、上述のような内部へ連通する開口を有した従来のカウンタウェイトでは、通気口を介してカウンタウェイト内部へ雨水や車体洗浄時の洗浄水等が入り込んだり、また、コンクリート周囲の温度，湿度環境の変化により、コンクリートから蒸発した水蒸気がカウンタウェイト内部で貯まり水となることがある。そして、カウンタウェイト内に貯まった水が外装板の内側を錆び付かせたり、錆を含んだカウンタウェイト内の貯まり水が通気口から漏出してカウンタウェイトの外装の美観を損ねるおそれがある。
【０００６】
一方、カウンタウェイト内部への水分の進入を防止することを優先して通気口を設けなければ、コンクリートからの水蒸気ガスの吸湿・蒸発作用により、密閉されたカウンタウェイトの内圧変化が大きくなり、外装板が変形，破損するおそれがある。
本発明は、このような課題に鑑み案出されたもので、簡素な構成で、カウンタウェイト内におけるコンクリートからの吸湿・蒸発作用を阻害することなく、カウンタウェイト内部から水を排出することができる、カウンタウェイトのドレン構造及びカウンタウェイトのドレン施工方法を提供することを目的とする。
【課題を解決するための手段】
【０００７】
上記目的を達成するため、本発明のカウンタウェイトのドレン構造（請求項１）は、カウンタウェイトの外装板の内部におもりとして充填された充填材からなる充填層と、該外装板の内部において該充填層の上部に隙間として形成された中空層と、該カウンタウェイトの下部において該外装板に穿孔されたドレン穴と、該充填層を貫通して該中空層と該ドレン穴とを連通する連通路とを備えたことを特徴としている。
【０００８】
また、該充填層は、充填材としてのセメント系材料を含むことが好ましい（請求項２）。
また、該連通路は、一端が該ドレン穴に接続され他端面が該充填層の上面で開口する円筒状の中空管によって形成されることが好ましい（請求項３）。
また、本発明のカウンタウェイトのドレン施工方法（請求項４）は、外装板の内部におもりとしての充填材を充填されたカウンタウェイトのドレン施工方法であって、該カウンタウェイトの下部において該外装板にドレン穴を穿孔し、円筒状の中空管を該外装板の内部に配置し、該中空管の一端を該ドレン穴に接続するとともに他端側を該外装板の内部に充填される充填材の上端よりも上方へ延設し、該カウンタウェイトの内部において該中空管の他端面の高さよりも低い位置まで該充填材を充填して充填層を形成するとともに、該充填層の上部に隙間としての中空層を形成することを特徴としている。
【０００９】
この場合、少なくとも該充填層の上面から該中空層側へ突出した部分の該中空管を切断することが好ましい（請求項５）。
また、該充填層の形成前に、該充填層の形成時において該中空管の内部へ該充填材が進入しないように該他端面を閉鎖する養生材を該中空管の他端に取り付けることによって、該他端面の高さを該充填材の上端よりも高くしておき、該充填層の形成後に、該養生材を取り除くことが好ましい（請求項６）。
【発明の効果】
【００１０】
本発明のカウンタウェイトのドレン構造（請求項１）によれば、中空層とドレン穴とを連通する連通路を備えているため、カウンタウェイト内部の充填材の吸湿・蒸発作用が阻害されず、カウンタウェイトの外装板の変形や破損を防止することができる。また、ドレン穴がカウンタウェイトの下部に設けられているため、充填材に含まれる貯まり水を排出させることができるとともに、外部からカウンタウェイト内部への水の進入を防止できる。
【００１１】
また、本発明のカウンタウェイトのドレン構造（請求項２）によれば、例えばコンクリートといったセメント系材料の吸湿・蒸発作用による、カウンタウェイトの内圧変化や、カウンタウェイト内への水分の残留を防止することができる。また、セメントの硬化収縮に伴って発生する水分をカウンタウェイトの外部へ排出することができる。
また、本発明のカウンタウェイトのドレン構造（請求項３）によれば、簡素な構成で容易に連通路を形成することができ、カウンタウェイトの施工性をより向上させることができる。
【００１２】
また、本発明のカウンタウェイトのドレン施工方法（請求項４）によれば、カウンタウェイト内部の排水効果に優れたドレンを、簡素な構成で確実に施工することができる。
また、本発明のカウンタウェイトのドレン施工方法（請求項５）によれば、少なくとも充填層の上面から中空層側へ突出した部分の中空管を切断することによって、充填層の上面に貯まり水を残さずに排水できるドレンを形成することができる。
【００１３】
また、本発明のカウンタウェイトのドレン施工方法（請求項６）によれば、充填層の形成時における円筒状の中空管の内部への充填材の進入を確実に防止できるとともに、充填層の形成後に養生材を取り除いた中空管の高さを充填層の上面よりも低くすることができ、充填層の上面の貯まり水を残すことなく排出可能なドレンを形成することができる。
【発明を実施するための最良の形態】
【００１４】
以下、図面により、本発明の実施形態について説明する。
図１〜図３は本発明の一実施形態としてのカウンタウェイトのドレン構造を示すもので、図１は本ドレン構造が適用されたカウンタウェイトの全体構成を示す断面図であり、（ａ）はカウンタウェイト内へ充填材を充填する前の状態を示す横断面図、（ｂ）はカウンタウェイト内へ充填材が充填された後の状態を示す横断面図、図２は本ドレン構造が適用されたカウンタウェイトを示す側面図、図３は本ドレン構造が適用されたカウンタウェイトを備える作業機械の全体構成を示す模式図である。
【００１５】
［構成］
本発明のカウンタウェイトのドレン構造は、図３に示す作業機械に備えられたカウンタウェイトに適用されている。
この作業機械２１は、図３に示すように、走行装置としての下部走行体２２と、下部走行体２２の上部に旋回可能に備えられた上部旋回体２３と、上部旋回体２３に設けられた掘削用の作業装置２４とを備えて構成されている。また、上部旋回体２３には、おもりとしてのカウンタウェイト１０が車体後方に備えられている。
【００１６】
カウンタウェイト１０は、図１（ａ），（ｂ）に示すように、容器状に形成された鋼板製の外装板１の内部に、おもりとしてコンクリートやモルタル等、セメント系材料の充填材を充填された、コンクリートタイプのカウンタウェイトとして備えられている。
また、カウンタウェイト１０の前面、すなわち、カウンタウェイト１０における作業機械２１のエンジンルーム側の面におけるカウンタウェイト１０の下部には、図１（ａ），（ｂ），図２に示すように、外装板１に穿孔されたドレン穴４が設けられており、このドレン穴４の内周面には螺旋状のネジ溝が形成されている。なお、本実施形態では、カウンタウェイト１０の下部においてエンジンルーム側の面に左右一対のドレン穴４，４が設けられている。
【００１７】
また、図２に示すように、カウンタウェイト１０の上面を構成する外装板１には、カウンタウェイト１０の製造時に内部へ充填材を充填するための充填口６，６が備えられている。これらの充填口６，６は、一対のドレン穴４，４の各々の略直上方に設けられている。なお、充填口６はカウンタウェイト１０の製造過程においてのみ使用される開口であり、カウンタウェイト１０の完成時には蓋６ａによって完全に密閉されるようになっている。
【００１８】
図１（ｂ）に示すように、カウンタウェイト１０の内部には、前述の充填材が充填された充填層２と、該充填層の上部に隙間として形成された中空層３とが形成されている。充填層２は、充填された充填材の重量が予め設定された重量となる所定高さの位置まで充填されるようになっている。
また、充填層２の内部には、充填層２を貫通して中空層３とドレン穴４とを連通する連通路５が形成されている。ここでは、連通路５として塩ビパイプ（円筒状の中空管）５ａが用いられており、その一端がドレン穴４内周面のネジ溝と螺合して接続固定されるようになっている。また、この塩ビパイプ５ａは、ドレン穴４に接続された一端から略鉛直上方へ延設されて、その他端面が充填層２の上面で開口するようになっている。
【００１９】
なお、連通路５として用いられている塩ビパイプ５ａは、カウンタウェイト１０の製造行程において生コンクリートや生モルタルの充填打設時に、その流体圧によって変形したり破損しない程度の強度及び剛性を備えている。
また、図１（ａ）に示すように、塩ビパイプ５ａは、カウンタウェイト１０の製造時においては、その他端面を充填口６から突出させて飛び出すように配設されるようになっており、例えばカウンタウェイト１０の内部に充填材を充填する際に、塩ビパイプ５ａの中への充填材の進入を防止すべく充填材の上端よりも上方へ延設されるようになっている。そして、カウンタウェイト１０の内部に充填材を充填した後に、図１（ｂ）に示すように、充填層２から上方へ飛び出した塩ビパイプ５ａの上部を切断するようになっている。
【００２０】
なお、本実施形態では、連通路５としての塩ビパイプ５ａが、一対のドレン穴４，４に対してそれぞれ接続されているが、ともに同一の構成を備えており、以下、特記なき限りいずれか一方を例に挙げて説明するものとする。
また、本カウンタウェイト１０は前述の通り容器状に形成されており、本カウンタウェイト１０の外装板１は、ドレン穴４及び充填口６以外の開口を持たず、カウンタウェイト１０外部から内部へ雨水，洗浄水等が進入しないように隙間なく溶接されて密閉されている。
【００２１】
［作用・効果］
本実施形態におけるカウンタウェイトのドレン構造は上述のように構成されており、カウンタウェイトは製造過程において以下のように組み立てられる。
まず、カウンタウェイト１０の外装板１が容器状に形成される。この際、図２に示されたように、カウンタウェイト１０の下部にはドレン穴４が穿孔されるとともに、カウンタウェイト１０の上部には内部へ充填材を充填するための開口として充填口６が設けられる。また、ドレン穴４の内周面にはネジ溝が形成される。つまりここでは、カウンタウェイト１０が、ドレン穴４及び充填口６以外の開口を持たない密閉構造に形成される。
【００２２】
次に、カウンタウェイト１０の内部において、ドレン穴４のネジ溝に対して連通路５としての塩ビパイプ５ａの一端が螺合接続される。このとき、塩ビパイプ５ａの他端側は、図１（ａ）に示すように、カウンタウェイト１０の内部で上方へ延設されて、充填口６からカウンタウェイト１０の外部へ飛び出すように配置される。これにより、充填口６から充填材を充填する際に充填材が塩ビパイプ５ａ内へ誤って入ることを防止できる。
【００２３】
そして、カウンタウェイト１０の充填口６からコンクリートやモルタル等の充填材が充填打設される。このとき、カウンタウェイト１０の内部において、予め設定された所定高さの位置まで充填材が充填される。これにより、カウンタウェイト１０内には、充填材が充填された充填層２と、その上部に間隙としての中空層３とが形成されることになる。
その後、例えば充填した充填材がある程度硬化した後に、充填層２の上面から中空層３側へ突出した部分の塩ビパイプ５ａが切断され、図１（ｂ）に示すように、カウンタウェイト１０上部の充填口６が蓋６ａにより密閉される。これにより、塩ビパイプ５ａが充填層２を貫通して中空層３とドレン穴４とを連通する連通路５として形成されることになる。
【００２４】
したがって、カウンタウェイト１０内部の充填層２を構成するコンクリートやモルタルの吸湿・蒸発作用が阻害されず、すなわち、セメント系材料から発生する水蒸気等のガスによって、カウンタウェイト１０の内圧変化が大きくなったり、外装板が変形，破損するおそれがない。
また、カウンタウェイト１０内において、充填層２から蒸発した水蒸気の凝結水（つまり、従来のカウンタウェイトにおける、貯まり水）を、連通路５を通してカウンタウェイト１０の外部へ排出することができる。なお、例えば塩ビパイプ５ａ内（すなわち、連通路５内）で発生しうる結露水も、連通路５を通ってドレン穴４から排出されることになる。したがって、カウンタウェイト内部における外装板１の内側の錆び付きを防止することができる。また、ドレン穴４から排出された水は、カウンタウェイト１０のエンジンルーム側の面から下部走行体２２へと落下するため、排水による汚れ等が問題となることもない。
【００２５】
また、カウンタウェイト１０は、充填口６を密閉されると、カウンタウェイト１０外部に対してドレン穴４以外の開口を持たないことになる。したがって、カウンタウェイト１０外部から内部へ雨水，洗浄水等が進入せず、また、万が一、ドレン穴４から雨水，洗浄水等が進入したとしても、その水はドレン穴４から排出されることになり、結果として、外部からカウンタウェイト１０内部への水の進入を防止できる。
【００２６】
このように、本ドレン構造によれば、簡素な構成で、カウンタウェイト１０内部の排水効果に優れた、施工性の良好な排水構造を提供することができる。
また、上述のようなドレンの施工方法によれば、簡素な構成で、容易に連通路を形成することができ、カウンタウェイト１０内部の排水効果に優れた構造を、簡素な構成で確実に施工することができる。
【００２７】
［その他］
以上、本発明の実施形態について説明したが、本発明はこれらの実施形態に限定されるものではなく、本発明の趣旨を逸脱しない範囲で種々変形して実施することができる。
例えば、本実施形態では、連通路５として塩ビパイプ５ａが用いられているが、これは、カウンタウェイト１０の製造行程において生コンクリートや生モルタルの打設時に、その流体圧によって変形したり破損しない程度の強度を備えた中空管の部材として適用された一例であり、他の材質（樹脂製・金属製等）の中空管を用いてもよい。
【００２８】
また、上述の実施形態では、図１（ａ）に示すように、カウンタウェイト１０の製造行程において、塩ビパイプ５ａの他端側がカウンタウェイト１０の内部で上方へ延設されて、充填口６からカウンタウェイト１０の外部へ飛び出すように配置されるよう構成されているが、例えばカウンタウェイト１０内へ打設する生コンクリート，生モルタルの充填量や充填高さに応じて、予め所定の長さに塩ビパイプ５ａを切断しておいてもよい。
【００２９】
この場合、生コンクリート，生モルタルが連通路５の内部へ入らないように打設することで、又は、塩ビパイプ５ａの内部へ充填材が入らないような養生を行うことで、上述の実施形態と同様のドレン構造を形成することが可能となる。
またこの場合、例えば塩ビパイプ５ａの長さを充填層２の上面から飛び出さない長さとしておくとともに、塩ビパイプ５ａの先端にゴムホース等の養生材を取り付けて、ゴムホースの先端を充填層２の上面よりも上方へ延設するように構成してもよい。つまり、養生材としてのゴムホースを塩ビパイプ５ａの先端に取り付けることによって、塩ビパイプ５ａ内部への充填材の進入を防止するとともに、塩ビパイプ５ａの高さを高くして生コンクリート，生モルタル充填時における塩ビパイプ５ａの充填層２内への埋没を防止することができることになる。
【００３０】
さらに、生コンクリート，生モルタル充填後にこのゴムホースを塩ビパイプ５ａの先端から取り外すことによって、塩ビパイプ５ａの先端が充填層２の上面よりも低い位置に埋設された状態の連通路５を形成することができ、貯まり水の残らない排水効果に優れたドレンとすることができる。
なお、中空円筒形状のゴムホースのように連通路５として機能しうるものを養生材として用いた場合には、充填層の形成後に取り外すのではなく充填層の上面から突出した部分を切断するようにしてもよい。この場合、例えば比較的切断が容易な材質の養生材を用いることによって、より施工性を向上させることができる。
【００３１】
また、上述の実施形態では、充填した充填材がある程度硬化した後に、充填層２の上面から中空層３側へ突出した部分の塩ビパイプ５ａが切断されるようになっているが、塩ビパイプ５ａを切断する位置は、充填層２の表面に限られず、例えば充填層２の内部側で切断してもよい。この場合、充填層２を構成するセメント系材料の乾燥収縮によって、充填層２の表面が沈下した場合であってもカウンタウェイト１０内の水を排出することができるドレン構造とすることができる。
【００３２】
なお、上述の実施形態において、充填層２の上面の形状を、例えば、連通路５の他端面を底頂部としたすり鉢上の形状に形成することにより、カウンタウェイト１０内における水の排出作用がより確実なものとすることができる。
また、上述のドレン構造では、ドレン４がカウンタウェイト１０の左右に一対設けられるようになっており、その取付位置については特に限定されていないが、例えば、ドレン４をカウンタウェイト１０の左右両端部に設けるよう構成してもよく、この場合、カウンタウェイトの左右傾斜角度に関わらず、常に確実に排水することが可能なドレンを形成することができる。
【００３３】
また、上述の実施形態では、塩ビパイプ５ａがドレン４に接続された一端から略鉛直上方へ延設されるよう構成されているが、例えば、塩ビパイプ５ａの延設方向を鉛直方向から所定角度だけ傾斜させてもよく、この場合、ドレン４の位置に対して、塩ビパイプ５ａの他端面の位置、すなわち、カウンタウェイト１０内部の充填層２上面における取水口（排水口の位置）を任意に設定することが可能となる。
【図面の簡単な説明】
【００３４】
【図１】本発明の一実施形態としてのカウンタウェイトのドレン構造が適用されたカウンタウェイトの全体構成を示す断面図であり、（ａ）はカウンタウェイト内へ充填材を充填する前の状態を示す横断面図、（ｂ）はカウンタウェイト内へ充填材が充填された後の状態を示す横断面図である。
【図２】本発明の一実施形態としてのカウンタウェイトのドレン構造が適用されたカウンタウェイトを示す側面図である。
【図３】本発明の一実施形態としてのドレン構造が適用されたカウンタウェイトを備える作業機械の全体構成を示す模式図である。
【符号の説明】
【００３５】
１  外装板
２  充填層
３  中空層
４  ドレン穴
５  連通路
５ａ  塩ビパイプ
６  充填口
６ａ  蓋
１０  カウンタウェイト
【図１】
2006193940.tif 000003
【図２】
2006193940.tif 000004
【図３】
2006193940.tif 000005